(57)【要約】【課題】積極的な記憶を促すことができる方法を提供すること。【解決手段】本発明は、学習コンテンツを管理するコンテンツ配信サーバと、複数の広告主端末と、複数のユーザ端末とを利用したコンテンツ配信方法である。方法は、広告主端末が、任意の前記学習コンテンツを指定すると共に、学習条件と報酬を設定するステップと、コンテンツ配信サーバが、指定された学習コンテンツをユーザ端末に送信するステップと、ユーザ端末が、ユーザにより学習コンテンツに関する学習条件が満たされたことを確認するステップと、コンテンツ配信サーバが、ユーザ端末に報酬を関連付けるステップとを含んでいる。【選択図】図５
2020074223.tif 000002
【特許請求の範囲】
【請求項１】
学習コンテンツを管理するコンテンツ配信サーバと、複数の広告主端末と、複数のユーザ端末とを利用したコンテンツ配信方法であって、
前記広告主端末が、任意の前記学習コンテンツを指定すると共に、学習条件と報酬を設定するステップと、
前記コンテンツ配信サーバが、指定された前記学習コンテンツを前記ユーザ端末に送信するステップと、
前記ユーザ端末が、ユーザにより前記学習コンテンツに関する前記学習条件が満たされたことを確認するステップと、
前記コンテンツ配信サーバが、前記ユーザ端末に前記報酬を関連付けるステップとを含む、
コンテンツ配信方法。
【請求項２】
請求項１に記載のコンテンツ配信方法であって、
前記ユーザ端末は、前記ユーザにより作成されたユーザ学習コンテンツを前記広告配信サーバに共有可能に保有しており、
前記広告配信サーバは、前記広告主が前記ユーザ学習コンテンツを指定可能に当該ユーザ学習コンテンツを管理するステップを更に含む、
コンテンツ配信方法。
【請求項３】
請求項１又は請求項２に記載のコンテンツ配信方法であって、
前記広告主端末は、前記コンテンツ配信サーバから所定の入札ポイントを取得するとともに還元率を設定し、
前記コンテンツ配信サーバは、指定された前記還元率に従って、前記入札ポイントの一部又は全部を前記報酬として前記ユーザ端末に関連付けるステップを更に含む、
コンテンツ配信方法。
【請求項４】
請求項１乃至請求項３のいずれかに記載のコンテンツ配信方法であって、
前記広告主端末は、前記学習条件毎に任意の前記報酬を割り当てるステップを更に含む、
コンテンツ配信方法。
【請求項５】
請求項１乃至請求項４のいずれかに記載のコンテンツ配信方法であって、
前記コンテンツ配信サーバが、前記ユーザの属性情報に応じて前記学習コンテンツを送信するユーザ端末を選定するステップを更に含む、
コンテンツ配信方法。
【請求項６】
請求項１乃至請求項６のいずれかに記載のコンテンツ配信方法であって、
前記ユーザ端末は、前記学習コンテンツに関する学習条件の充足状況を前記コンテンツ配信サーバを介して前記広告主端末に共有するステップを更に含む、
コンテンツ配信方法。
【請求項７】
コンテンツ配信サーバ、複数の広告主端末及び複数のユーザ端末を利用したコンテンツ配信方法であって、
前記広告主端末が、学習コンテンツと；学習条件と；報酬と；を前記コンテンツ配信サーバに送信するステップと、
前記コンテンツ配信サーバが、受信した前記学習コンテンツを前記ユーザ端末に送信するステップと、
前記ユーザ端末が、ユーザにより前記学習コンテンツに関する前記学習条件が満たされたことを確認するステップと、
前記コンテンツ配信サーバが、前記ユーザ端末に前記報酬を関連付けるステップとを含む、
コンテンツ配信方法。
【請求項８】
学習コンテンツを管理するコンテンツ配信サーバと、複数の広告主端末と、複数のユーザ端末とを利用したコンテンツ配信システムであって、
前記広告主端末が、任意の前記学習コンテンツを指定すると共に、学習条件と報酬を設定し、
前記コンテンツ配信サーバが、指定された前記学習コンテンツを前記ユーザ端末に送信し、
前記ユーザ端末が、ユーザにより前記学習コンテンツに関する前記学習条件が満たされたことを確認し、
前記コンテンツ配信サーバが、前記ユーザ端末に前記報酬を関連付ける、
コンテンツ配信システム。
【請求項９】
学習コンテンツを管理するコンテンツ配信サーバであって、
広告主端末から任意の前記学習コンテンツの指定を受けると共に、学習条件と報酬の設定を受ける手段、
指定された前記学習コンテンツをユーザ端末に送信する手段、
前記ユーザ端末から、ユーザにより前記学習コンテンツに関する前記学習条件が満たされたことを受け付ける手段、
前記コンテンツ配信サーバが、前記ユーザ端末に前記報酬を関連付ける手段、
コンテンツ配信サーバ。
【発明の詳細な説明】
【技術分野】
【０００１】
本発明は、コンテンツ配信方法、コンテンツ配信システム、コンテンツ配信サーバ及びコンテンツ配信プログラムに関する。
【背景技術】
【０００２】
受講生の理解度、復習状況に応じて受験生毎に学習効果が最大となるよう、最適な問題を提供して学習効率を改善できるＥラーニングシステムが知られている（例えば、特許文献１参照）。
【先行技術文献】
【特許文献】
【０００３】
【特許文献１】特開２０１６−１７７３０６号公報
【発明の概要】
【発明が解決しようとする課題】
【０００４】
上述した技術は、継続のインセンティブと記憶した効果が本人に限定されることから、記憶行為の価値が限定的である。
【０００５】
本発明は、積極的な記憶を促すことができる方法を提供することを目的とする。
【課題を解決するための手段】
【０００６】
本発明によれば、
コンテンツ配信サーバ、複数の広告主端末及び複数のユーザ端末を利用したコンテンツ配信方法であって、
前記コンテンツ配信サーバが、少なくともコンテンツ及び対応コンテンツの組からなるコンテンツペアを複数含む学習コンテンツと；条件情報と；報酬情報と；を学習コンテンツとして前記広告主端末から登録を受け付けるステップと、
前記ユーザ端末が、前記コンテンツ配信サーバから所定の前記学習コンテンツを受信するステップとを含み、
前記ユーザ端末が、
受信した前記学習コンテンツを学習中コンテンツとして登録し、
前記学習コンテンツをユーザに学習させ、
前記ユーザが前記条件情報に含まれる学習条件を満たしたことを確認し、
前記学習コンテンツを学習済みコンテンツとして登録し、
前記ユーザに前記報酬情報に含まれる報酬を関連付ける、ステップを更に含む、
コンテンツ配信方法が得られる。
【発明の効果】
【０００７】
本発明によれば、積極的な記憶を促すことができる。
【図面の簡単な説明】
【０００８】
【図１】本発明の実施の形態によるコンテンツ配信システムの構成図である。
【図２】図１のコンテンツ配信サーバのブロック図である。
【図３】図１のユーザ端末のブロック図である。
【図４】図１の広告主端末のブロック図である。
【図５】図１のコンテンツ配信システムにおいて扱われるデータの概略を表す図である。
【図６】図１のコンテンツ配信システムの処理の流れである。
【図７】ユーザ端末における学習コンテンツに関する処理のフロー図である。
【図８】ユーザ端末における表示例と画面遷移図である。
【図９】本発明によるコンテンツ配信システムの他の実施例を示す図である。
【図１０】図９の実施例において扱われるデータの概略を表す図である。
【図１１】図９の実施例において扱われる報酬の移動を表す図である。
【図１２】図９の実施例における処理の流れである。
【発明を実施するための形態】
【０００９】
本発明の実施形態の内容を列記して説明する。本発明の実施の形態によるコンテンツ配信方法、コンテンツ配信システム、コンテンツ配信サーバ及びコンテンツ配信プログラムは、以下のような構成を備える。
［項目１］
学習コンテンツを管理するコンテンツ配信サーバと、複数の広告主端末と、複数のユーザ端末とを利用したコンテンツ配信方法であって、
前記広告主端末が、任意の前記学習コンテンツを指定すると共に、学習条件と報酬を設定するステップと、
前記コンテンツ配信サーバが、指定された前記学習コンテンツを前記ユーザ端末に送信するステップと、
前記ユーザ端末が、ユーザにより前記学習コンテンツに関する前記学習条件が満たされたことを確認するステップと、
前記コンテンツ配信サーバが、前記ユーザ端末に前記報酬を関連付けるステップとを含む、
コンテンツ配信方法。
［項目２］
項目１に記載のコンテンツ配信方法であって、
前記ユーザ端末は、前記ユーザにより作成されたユーザ学習コンテンツを前記広告配信サーバに共有可能に保有しており、
前記広告配信サーバは、前記広告主が前記ユーザ学習コンテンツを指定可能に当該ユーザ学習コンテンツを管理するステップを更に含む、
コンテンツ配信方法。
［項目３］
項目１又は項目２に記載のコンテンツ配信方法であって、
前記広告主端末は、前記コンテンツ配信サーバから所定の入札ポイントを取得するとともに還元率を設定し、
前記コンテンツ配信サーバは、指定された前記還元率に従って、前記入札ポイントの一部又は全部を前記報酬として前記ユーザ端末に関連付けるステップを更に含む、
コンテンツ配信方法。
［項目４］
項目１乃至項目３のいずれかに記載のコンテンツ配信方法であって、
前記広告主端末は、前記学習条件毎に任意の前記報酬を割り当てるステップを更に含む、
コンテンツ配信方法。
［項目５］
項目１乃至項目４のいずれかに記載のコンテンツ配信方法であって、
前記コンテンツ配信サーバが、前記ユーザの属性情報に応じて前記学習コンテンツを送信するユーザ端末を選定するステップを更に含む、
コンテンツ配信方法。
［項目６］
項目１乃至項目６のいずれかに記載のコンテンツ配信方法であって、
前記ユーザ端末は、前記学習コンテンツに関する学習条件の充足状況を前記コンテンツ配信サーバを介して前記広告主端末に共有するステップを更に含む、
コンテンツ配信方法。
［項目７］
コンテンツ配信サーバ、複数の広告主端末及び複数のユーザ端末を利用したコンテンツ配信方法であって、
前記広告主端末が、学習コンテンツと；学習条件と；報酬と；を前記コンテンツ配信サーバに送信するステップと、
前記コンテンツ配信サーバが、受信した前記学習コンテンツを前記ユーザ端末に送信するステップと、
前記ユーザ端末が、ユーザにより前記学習コンテンツに関する前記学習条件が満たされたことを確認するステップと、
前記コンテンツ配信サーバが、前記ユーザ端末に前記報酬を関連付けるステップとを含む、
コンテンツ配信方法。
［項目８］
学習コンテンツを管理するコンテンツ配信サーバと、複数の広告主端末と、複数のユーザ端末とを利用したコンテンツ配信システムであって、
前記広告主端末が、任意の前記学習コンテンツを指定すると共に、学習条件と報酬を設定し、
前記コンテンツ配信サーバが、指定された前記学習コンテンツを前記ユーザ端末に送信し、
前記ユーザ端末が、ユーザにより前記学習コンテンツに関する前記学習条件が満たされたことを確認し、
前記コンテンツ配信サーバが、前記ユーザ端末に前記報酬を関連付ける、
コンテンツ配信システム。
［項目９］
学習コンテンツを管理するコンテンツ配信サーバであって、
広告主端末から任意の前記学習コンテンツの指定を受けると共に、学習条件と報酬の設定を受ける手段、
指定された前記学習コンテンツをユーザ端末に送信する手段、
前記ユーザ端末から、ユーザにより前記学習コンテンツに関する前記学習条件が満たされたことを受け付ける手段、
前記コンテンツ配信サーバが、前記ユーザ端末に前記報酬を関連付ける手段、
コンテンツ配信サーバ。
【００１０】
＜実施の形態の詳細＞
以下、本発明の実施の形態によるコンテンツ配信方法、コンテンツ配信システム、コンテンツ配信サーバ及びコンテンツ配信プログラムについて、特に、コンテンツ配信システム（以下、単に「システム」と呼ぶ）に関する構成を例に図面を参照しながら説明する。
【００１１】
＜概要＞
本発明によるシステムは、例えば、特定の商品やサービスをユーザに浸透・定着させるためのものであり、より具体的には、広告主等から出稿又は指定されたコンテンツをユーザに記憶させその対価としてインセンティブを付与するものである。
【００１２】
＜ハードウェア構成＞
図１に示されるように、本実施の形態によるシステムは、主にコンテンツ配信サーバ１と、ユーザ端末２と、広告主端末３を含んでいる。なお、これ以外の構成を含むこととしても良い。コンテンツ配信サーバ１、ユーザ端末２、広告主端末３は、以下のようなハードウェア構成を有する。なお、以下の構成は一例である。
【００１３】
＜コンテンツ配信サーバ１＞
図２に示されるように、コンテンツ配信サーバ１は、例えばワークステーションやパーソナルコンピュータのような汎用コンピュータとしてもよいし、或いはクラウド・コンピューティングによって論理的に実現されてもよい。
【００１４】
コンテンツ配信サーバ１は、少なくとも、プロセッサ１０、メモリ１１、ストレージ１２、送受信部１３、入出力部１４等を備え、これらはバス１５を通じて相互に電気的に接続される。
【００１５】
プロセッサ１０は、コンテンツ配信サーバ１全体の動作を制御し、各要素間におけるデータの送受信の制御、及びアプリケーションの実行に必要な情報処理等を行う演算装置である。例えばプロセッサ１０はＣＰＵ（Ｃｅｎｔｒａｌ  Ｐｒｏｃｅｓｓｉｎｇ  Ｕｎｉｔ）であり、ストレージ１２に格納されメモリ１１に展開されたプログラム等を実行して各情報処理を実施する。
【００１６】
メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ１１は、プロセッサ１０のワークエリア等として使用され、また、コンテンツ配信サーバ１の起動時に実行されるＢＩＯＳ（Ｂａｓｉｃ  Ｉｎｐｕｔ  ／  Ｏｕｔｐｕｔ  Ｓｙｓｔｅｍ）、及び各種設定情報等を格納する。
【００１７】
ストレージ１２は、アプリケーション・プログラム、及びブロックチェーンネットワークに対する認証プログラム等の各種プログラムを格納する。各処理に用いられるデータを格納したデータベースがストレージ２２に構築されていてもよい。
【００１８】
送受信部１３は、コンテンツ配信サーバ１をネットワーク１０及びブロックチェーンネットワーク２０に接続する。なお、送受信部１３は、Ｂｌｕｅｔｏｏｔｈ（登録商標）及びＢＬＥ（Ｂｌｕｅｔｏｏｔｈ  Ｌｏｗ  Ｅｎｅｒｇｙ）の近距離通信インタフェースを備えていてもよい。
【００１９】
入出力部１４は、キーボード・マウス類等の情報入力機器、及びディスプレイ等の出力機器である。
【００２０】
バス１５は、上記各要素に共通に接続され、例えば、アドレス信号、データ信号及び各種制御信号を伝達する。
【００２１】
＜ユーザ端末２＞
図３に示されるように、ユーザ端末２は、その基本構成は上述したコンテンツ配信サーバ１と同様であるが、例えばスマートフォン等の携帯通信機器等で構成されることが好ましい。
【００２２】
ユーザ端末２は、少なくとも、プロセッサ２０、メモリ２１、ストレージ２２、送受信部２３、入出力部２４等を備え、これらはバス２５を通じて相互に電気的に接続される。各構成の詳細な機能は、上述したコンテンツ配信サーバ１と同様である。
【００２３】
＜広告主端末３＞
図４に示されるように、広告主端末３も、その基本構成は、上述したコンテンツ配信サーバ１と同様である。広告主端末３は、例えばワークステーションやパーソナルコンピュータのような汎用コンピュータとしてもよいし、或いはクラウド・コンピューティングによって論理的に実現されてもよい。
【００２４】
広告主端末３は、少なくとも、プロセッサ３０、メモリ３１、ストレージ３２、送受信部３３、入出力部３４等を備え、これらはバス３５を通じて相互に電気的に接続される。
【００２５】
＜データ＞
図５に示されるように、広告主端末１、コンテンツ配信サーバ２及びユーザ端末３は、夫々、次のようなデータを保有している。
【００２６】
広告主端末１は、学習コンテンツと、条件情報と、報酬情報の３つの要素を少なくとも有している。学習コンテンツは、コンテンツ及び対応コンテンツの組からなるコンテンツペアを複数含んでいるものであり、例えば、広告に関するクイズや情報の対（質問−解答）で構成されるものである。
【００２７】
より具体的には、例えば、英会話サービスに関する広告主である場合には、英単語に関するコンテンツペア（典型的には、日本語と英語のペア等が挙げられる）としてもよいし、水族館のようなアミューズメント施設の場合には、当該施設内で飼育されている生物の写真とその名称のペアとしてもよい。コンテンツペアの内容は、広告主がユーザに対して学習・記憶を希望する内容とすることが好ましい。なお、コンテンツペアに含まれるものは、文字等のテキストデータ、イラストや写真などのイメージデータ、映像等の動画データ、音や声などの音声データ及びこれらの組み合わせであってもよい。
【００２８】
本システムにおいては、様々な広告主が管理する広告主端末１が参加するものであり、学習コンテンツの内容も多用なものとなる。
【００２９】
条件情報は、上述したコンテンツペアに関してユーザに学習してほしい基準となるものであり、例えば、対応コンテンツの正答率や、学習の回数等様々な指標を採用することができる。
【００３０】
報酬情報は、ユーザが上記の条件情報により特定される条件を満たした場合にユーザに付与されるインセンティブに関するものである。例えば、仮想通過や、クーポン等、何らかの経済的利益であることが好ましいがこれに限られない。
【００３１】
コンテンツ配信サーバ２は、多数の広告主端末１から依頼された学習コンテンツを管理する。学習コンテンツは、所定の条件に応じて、ユーザ端末に配信される。
【００３２】
ユーザ端末３は、コンテンツ配信サーバ２から受信した少なくとも学習コンテンツをユーザに表示することにより、学習させる。この際、学習コンテンツは、学習中のものと学習済みのものとに分けて管理されることとしてもよい。「学習中」とは、例えば、上述した条件情報により特定される条件を未だ満たしていないものであり、「学習済み」とは、例えば、上述した条件情報により特定される条件を既に満たしたものを意味する。
【００３３】
本システムにおいては、様々なユーザ端末３が参加するものであり、様々な学習コンテンツが様々なユーザ端末に送信されることとなる。
【００３４】
＜処理の流れ＞
図６に示されるように、本実施の形態においては、広告主端末３が学習コンテンツをコンテンツ配信サーバ１に送信して登録する（ＳＱ３０１）。なお、学習コンテンツは、広告主が作成してもよいが、コンテンツ配信サーバ１が既に管理している学習コンテンツから任意のものを選択・指定することとしてもよい。
【００３５】
コンテンツ配信サーバ１は、各事業主端末３から登録リクエストを受けた学習コンテンツを管理する（ＳＱ３０２）。コンテンツ配信サーバ１は、事業主端末以外の端末（例えばユーザ端末等）から受信して管理することとしてもよい（詳しくは後述する）。
【００３６】
ユーザ端末２は、コンテンツ配信サーバ１が管理している学習コンテンツのうち任意のものに対してリクエストを送信する（ＳＱ３０３）。コンテンツ配信サーバ１は、リクエストに関する学習コンテンツをユーザ端末２に送信する（ＳＱ３０４）。
【００３７】
なお、学習コンテンツは、所定の条件に基づいてユーザ端末２に対して自動で送信することとしてもよい。ユーザ端末２においては、ユーザに対して、コンテンツに関する対応コンテンツを解答させる等して学習コンテンツの学習を促し（ＳＱ３０５）、ユーザが学習コンテンツの条件情報に含まれる学習条件を充足したかどうか判定する（ＳＱ３０６）。
【００３８】
より詳しくは、例えば、学習の促しは、図９ａに示されるように、表示されたいくつかの学習コンテンツの中から任意のものをユーザに選択させることにより行われる。
【００３９】
図において、ユーザが「国旗」を選択すると、図９ｂに示されるように、各国の国旗のイメージが表示される。各イメージを選択すると、図９ｃに示されるように対応する国名又は組織名が表示される。ユーザは、あたかも単語カードをめくるかのように、コンテンツ（国旗のイメージ）と対応コンテンツ（国名又は組織名）を学習することができる。
【００４０】
本実施の形態においては、ユーザ端末２における学習コンテンツは次のように処理される。図７に示されるように、コンテンツ配信サーバ１から学習コンテンツを受信すると、当該学習コンテンツに含まれる学習コンテンツ（例えば、上述した「国旗」）は、学習中コンテンツとして少なくともユーザ端末２に登録される（ステップＳ４０１）。
【００４１】
ユーザが学習コンテンツを学習し、所定のテスト等を実施することによって学習度合いを確認すると（ステップＳ４０２）、学習条件を満たしたか否かが判定される（Ｓ４０３）。
【００４２】
学習条件を満たしたと判断された場合には（ステップＳ４０３のＹ）、当該学習コンテンツを学習済みとして登録する（ステップＳ４０４）。一方、学習条件を満たしていないと判断された場合には引き続き学習度合いを確認するテスト等が繰り返される。
【００４３】
図６に戻り、学習条件を充足した場合、ユーザ端末２は、コンテンツ配信サーバ１に報酬リクエストを送信する（ＳＱ３０７）。これに応じて、コンテンツ配信サーバ１は、当該ユーザに報酬を付与する（ＳＱ３０８）。必要に応じて、コンテンツ配信サーバ１は、ユーザのステータス（学習コンテンツの状況や保有している報酬の量や履歴等）を更新することとしてもよい（ＳＱ３０９）。
【００４４】
本実施の形態においては、学習条件毎に異なる報酬を付与することとしてもよい。例えば、学習コンテンツを開いた場合に１０Ｐｔ、一問正解するごとに５Ｐｔ、全問正解すると３０Ｐｔというように段階的に報酬を設定することとしてもよい。報酬の設定の仕方はこれに限られず、例えば、ユーザの属性やシステムの利用率、ログイン回数・履歴、学習コンテンツの学習状況等、様々な要素に応じてカスタマイズすることができる。
【００４５】
以上説明したように、本実施の形態によれば、図８に示されるように、例えば、ビールメーカー、エステ、レストラン等の広告主が自社の製品やサービスに関連のある学習コンテンツをユーザに配信し、かつ学習（記憶）することによってインセンティブを付与することにより、効果的な広告を行うことができる。また、ユーザにとっては、記憶することによってインセンティブを受け取るという新たな体験をすることができる。
【００４６】
本実施の形態においては、例えば、コンテンツ配信サーバが、ユーザの属性情報（年齢、学習コンテンツの状態、趣味等）に応じて配信する学習コンテンツを選定することとしてもよい。
【００４７】
上述した実施の形態においては、広告主端末が学習コンテンツを含む学習コンテンツをコンテンツ配信サーバに登録（送信）することとしていたが、ユーザ端末内に保存されている学習コンテンツに対して、条件情報と報酬情報を設定することとしてもいよ。これにより、学習コンテンツを作成することが不要となる。
【００４８】
ユーザは、図８を参照して説明した学習コンテンツを作成し、自己の端末（ユーザ端末２）に登録することができる（ユーザが作成した学習コンテンツを「ユーザ学習コンテンツ」と呼ぶ）。ユーザ学習コンテンツは、その一部又は全部をコンテンツ配信サーバに共有可能に保存される。
【００４９】
コンテンツ配信サーバは、ユーザ学習コンテンツを自由に利用可能であり、例えば、ハッシュタグ等の特定の識別子によってその内容や属性を特定可能に管理している。
【００５０】
図９に示されるように、例えば、いずれかのユーザが「麦とホップの違い」というユーザ学習コンテンツを作成していた場合、ビールメーカーの広告主は、コンテンツ配信サーバ１において管理されている「麦とホップの違い」というユーザ学習コンテンツを指定し、２５ポイントのインセンティブを設定することができる。同様に、エステの広告主は「脱毛の仕組み」という学習コンテンツに対し１５ポイントを設定と、レストランの広告主は「フレンチのマナー」という学習コンテンツに対して１０ポイントを設定する。このように、本実施の形態によれば、広告主側は、自社の商品やサービスと関連性のあるユーザ学習コンテンツを（自社で作成することなく）多くのユーザに積極的に学習してもらえることに加え、ユーザ側は自分の学習（記憶）を経済利益に変えることができる。
【００５１】
この際、各広告主は、指定した学習コンテンツを学習・記憶してもらいたいユーザを特定するための情報（タグ等の識別子）を設定することとしてもよい。
【００５２】
コンテンツ配信サーバ１は、上記情報に基づいて、学習コンテンツをユーザに配信する。その後、ユーザが学習コンテンツを学習すると、設定したポイントが当該ユーザに付与される。
【００５３】
図１０に示されるように、本実施の形態においては、広告主端末３は、学習コンテンツの学習度合い（習熟度）条件情報と、報酬情報とをコンテンツ配信サーバ１に送信する。即ち、本実施の形態においては、広告主は、学習コンテンツを自己において作成する必要がない。
【００５４】
一方、ユーザは、学習コンテンツを独自に作成することができる。例えば、英単語、地理その他のコンテンツを「問題と解答」といった何らかの組み合わせによって作成する。各ユーザ端末においては、ユーザが独自に作成した学習コンテンツがコンテンツ配信サーバ１に共有可能に保存されている。
【００５５】
なお、上述した実施の形態において、ユーザ端末内に保存された学習コンテンツやその状況（学習コンテンツ毎の学習中／学習済みのステータス）に関する情報は、コンテンツ配信サーバ１を介して、広告主端末３や他のユーザ端末２に一部又は全部が共有される。
【００５６】
本システムにおける報酬の取り扱いについて図１１及び図１２を参照して更に説明する。
【００５７】
図１１に示されるように、本実施の形態においてユーザに付与される報酬は、広告主が間接的に負担するものである。広告主は予め本システムの運営者等からポイント（入札ポイント：後述する）を例えば１００Ｐｔ購入する。当該ポイントは、上述した学習コンテンツの指定、学習条件の指定、報酬の指定と共に行われる。
【００５８】
例えば、広告主が還元率８０％を指定すると、ユーザが学習条件を充足した際にユーザに付与されるポイントは８０Ｐｔとなり、システム運営者には２０Ｐｔが付与される。システム運営者に付与されるポイントは、システム運営のための費用としてシステム運営に還元される。
【００５９】
図１２を参照して端末間の具体的な処理を説明する。広告主端末３は、コンテンツ配信サーバ１に対して、入札ポイントのリクエストを行う（ＳＱ１１０１）。コンテンツ配信サーバ１は、リクエストに応じたポイントを広告主端末３に割り当てる（図１１の「１００Ｐｔ」：ＳＱ１１０２）。広告主は、ポイントの割り当てと引き換えに所定の金銭をシステム運営者側に支払うこととしてもよい。広告主端末３は、上述した学習コンテンツ、学習条件、報酬の指定と共に還元率を設定する。
【００６０】
コンテンツ配信サーバ１は、学習コンテンツ、学習条件、報酬、指定された還元率を読み込んだのち、配信対象となるユーザ端末を選定し、学習コンテンツを配信する（ＳＱ１１０５）。ユーザ端末２においては、当該学習コンテンツをユーザに対して表示する等して学習条件を充足したかどうかを判定する。学習条件を充足すると（ＳＱ１１０６）、ユーザ端末２は、コンテンツ配信サーバ１に報酬リクエストを送信する（ＳＱ１１０７）コンテンツ配信サーバ１においては、指定された還元率に基づいて、ユーザに付与すべき報酬（ポイント）を算出し、ポイントを付与する（ＳＱ１１０９）。その後、コンテンツ配信サーバ１は、広告主端末３に現在のポイントの更新情報を通知する（ＳＱ１１１０）。
【００６１】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００６２】
１        コンテンツ配信サーバ
２        ユーザ端末
３        広告主端末
【図１】
2020074223.tif 000003
【図２】
2020074223.tif 000004
【図３】
2020074223.tif 000005
【図４】
2020074223.tif 000006
【図５】
2020074223.tif 000007
【図６】
2020074223.tif 000008
【図７】
2020074223.tif 000009
【図８】
2020074223.tif 000010
【図９】
2020074223.tif 000011
【図１０】
2020074223.tif 000012
【図１１】
2020074223.tif 000013
【図１２】
2020074223.tif 000014